(57)【要約】      （修正有）【課題】周辺回路を装着する作業が容易で、かつ全体形状を小さくできる液晶表示装置を提供する。【解決手段】一対の透明電極（１ａ，１ｂ）の間に挟まれた液晶の配向を制御することにより可視像を表示する液晶表示装置において、液晶に印加する電圧を変化させるための抵抗素子（８）をＩＴＯ等によって透明基板（１ａ）上に直接に形成する。抵抗パターン（８）の抵抗枝（８ａ）の１つ又はいくつかをレーザ光によって切断することにより、抵抗パターン（８）の抵抗値を変化させ、液晶に印加する電圧を調節する。抵抗パターン（８）以外にキャパシタ等を含む周辺回路を透光性基板（１ａ）上に直接に形成することもできる。また、その周辺回路は一対の透光性基板（１ａ，１ｂ）によって挟まれる部分に形成することもできる。抵抗素子やその他の周辺回路を液晶パネルの基板上に形成することにより、液晶表示装置の全体形状を小さくできる。【選択図】図１
2005234594.tif 000002
【特許請求の範囲】
【請求項１】
一対の基板の間に挟まれた液晶に電圧を印加してその配向を制御することにより可視像を表示する液晶表示装置において、
上記一対の基板のうち少なくとも一方の上に上記液晶に電圧を印加するための液晶駆動用ＩＣが直接に配置され、
上記一対の基板のうち少なくとも一方の上に上記液晶駆動用ＩＣに印加する電圧を変化させるための抵抗素子が配置され、
上記抵抗素子は上記液晶駆動用ＩＣに電気的に接続されるとともに所定パターン状に形成されてなり、そのパターン形状を除去処理によって部分的に除去することによって抵抗値が設定されてなることを特徴とする液晶表示装置。
【請求項２】
請求項１において、上記抵抗素子は基板上に形成される電極と同じ材料によって形成されてなることを特徴とする液晶表示装置。
【請求項３】
請求項１又は請求項２において、上記抵抗素子はＩＴＯ（Indium Tin Oxide）によって形成されていることを特徴とする液晶表示装置。
【請求項４】
一対の基板の間に挟まれた液晶に電圧を印加してその配向を制御することにより可視像を表示する液晶表示装置の製造方法において、
上記液晶に電圧を印加するための液晶駆動用ＩＣが上記一対の基板のうち少なくとも一方の上に直接に装着され、
上記液晶駆動用ＩＣに印加する電圧を変化させるための抵抗素子が上記一対の基板のうち少なくとも一方の上に装着され、
抵抗値が調節可能な抵抗素子を上記一対の基板のうち少なくとも一方の上に装着し、
上記抵抗素子は上記液晶駆動用ＩＣに電気的に接続されるとともに所定パターン状に形成され、そのパターン形状を除去処理によって部分的に除去することによって抵抗値を設定されてなることを特徴とする液晶表示装置の製造方法。
【請求項５】
請求項４において、上記抵抗素子は基板上に形成される電極と同じ材料によって形成されてなることを特徴とする液晶表示装置の製造方法。
【請求項６】
請求項４又は請求項５において、上記抵抗素子はＩＴＯ（Indium Tin Oxide）によって形成されていることを特徴とする液晶表示装置の製造方法。
【請求項７】
一対の基板の間に挟まれた液晶の配向を制御することにより可視像を表示する液晶表示装置において、
上記一対の基板のうち少なくとも一方の上に上記液晶に電圧を印加するための液晶駆動用ＩＣが直接に配置され、
上記一対の基板のうち少なくとも一方の上に上記液晶駆動用ＩＣに印加する電圧を変化させるための周辺回路が配置され、
上記周辺回路は上記液晶駆動用ＩＣに電気的に接続されるとともに上記一対の基板に挟まれる部分に形成されたことを特徴とする液晶表示装置。
【請求項８】
請求項７において、上記一対の基板はシール材によって互いに接着され、上記周辺回路はそのシール材の外側に配置されることを特徴とする液晶表示装置。
【請求項９】
請求項７又は請求項８において、上記周辺回路は第２シール材によって取り囲まれるセル内に配置されることを特徴とする液晶表示装置。
【請求項１０】
請求項７乃至請求項９において、上記周辺回路は抵抗素子又はキャパシタを含むことを特徴とする液晶表示装置。
【請求項１１】
請求項１乃至請求項３又は請求項７乃至請求項１０のいずれかに記載の液晶表示装置と、その液晶表示装置に電力を供給する電源部と、その液晶表示装置の動作を制御する制御部とを有する電子機器。
【発明の詳細な説明】
【技術分野】
【０００１】
本発明は、液晶の配向を制御することで光を変調して文字、数字等といった可視像を表示する液晶表示装置に関する。また本発明は、その液晶表示装置を製造するための製造方法に関する。また本発明は、その液晶表示装置を用いた電子機器に関する。
【背景技術】
【０００２】
近年、携帯電話機、ビデオカメラその他種々の電子機器の可視像表示部分に液晶表示装置が広く用いられている。この液晶表示装置は液晶に所定の電圧を印加するか、あるいは印加しないかによってその液晶の配向を制御することによって光を変調し、もって、文字、数字等といった可視像を表示するものである。
【０００３】
一般に液晶表示装置では、ドット状に区画された液晶によって１個の画素を形成し、その画素を複数個、マトリクス状に並べることによって可視像の表示領域が形成される。そして、個々の画素を形成する個々の液晶に所定電圧を印加した場合と印加しない場合との間で生じる光のコントラストを利用して可視像を表示する。この場合に最適のコントラストを得るためには、液晶に印加する電圧をその液晶に対して最適な所定値に保持しなければならない。
【０００４】
通常の液晶表示装置では、液晶パネルに液晶駆動用ＩＣが装着され、この液晶駆動用ＩＣの外部入力端子にホスト機器、例えば携帯電話機側の出力電圧が印加されたときに、その液晶駆動用ＩＣの出力端子に液晶に印加するための電圧が現れる。しかしながら製造上の関係により、液晶駆動用ＩＣの特性にはバラツキが生じることがあり、また、液晶パネルに関しても特性にバラツキが生じる。このようなバラツキが生じた場合にも、各画素を形成する液晶に最適な電圧を印加できるようにするためには、次の２つの方法が考えられる。
【０００５】
まず１つは、ホスト機器から液晶駆動用ＩＣに供給される電圧を調節して液晶に加わる電圧を所定値に調節するという方法である。そして他の１つは、液晶駆動用ＩＣに付加的に抵抗素子を接続し、ホスト機器からの供給電圧は一定値に維持した状態でその抵抗素子の抵抗値を調節することにより、液晶に加わる電圧を所定値に調節するという方法である。
【０００６】
液晶パネルに液晶駆動用ＩＣを装着した状態で１つの製品としての液晶表示装置が完成するという実状を考えれば、その液晶表示装置に供給されるホスト機器側の出力電圧が調節できるようになっていることが望ましいのであるが、現実的には、ホスト機器側からの供給電圧を一定に維持した状態で液晶表示装置の内部において電圧を調節するという方法の方が広く用いられている。
【０００７】
従来、ホスト機器側でなくて液晶表示装置の側で電圧を調節できるようにする場合には、液晶パネルの外部接続用端子にＦＰＣ（Flexible Printed Circuit）や中継用ＰＣＢ（Print-Circuit Board）を接続し、それらのＦＰＣや中継用ＰＣＢの上に抵抗素子を装着し、液晶駆動用ＩＣに供給する動作電圧をその抵抗素子の働きによって変化させていた。
【０００８】
しかしながら、ＦＰＣや中継用ＰＣＢの上に抵抗素子を装着するという従来の液晶表示装置においては、ＦＰＣ等に抵抗素子を装着する分だけそのＦＰＣ等に余分な面積又は余分な空間を必要とし、その結果、液晶表示装置が大型になるという問題があった。
【０００９】
また特に、液晶を挟む一対の透光性基板の一方又は両方の上に液晶駆動用ＩＣを直接に接合する形式の液晶表示装置、すなわちＣＯＧ（Chip On Glass）方式の液晶表示装置を考えると、この液晶表示装置は液晶駆動用ＩＣを透光性基板上に装着することから、特別に大きなＦＰＣや中継用ＰＣＢ等を必要としないとうことが大きな利点となっている。従って、ＣＯＧ方式の液晶表示装置に関して抵抗素子を付加するために、わざわざＦＰＣや中継用ＰＣＢを液晶表示装置に付設するというのでは、ＣＯＧ方式の液晶表示装置の利点を大きく減じることになる。
【００１０】
ところで、液晶駆動用ＩＣに付加的に接続されるものは抵抗素子だけに限られるものではなく、抵抗素子やキャパシタ等を含む周辺回路がその液晶駆動用ＩＣの動作を補助するために設けられることもある。キャパシタを設けるのは次のような２つの理由によるものである。
【００１１】
（１）  液晶パネル内の各画素に対応する各液晶に印加される電圧は液晶駆動用ＩＣの出力端子に現れる。通常の液晶表示装置において、希望する個々の画素液晶だけに希望する電圧を印加してそのまわりの画素液晶には電圧を印加しないようにするためには、走査電極及び信号電極に単一のパルス電圧を印加するだけでは不十分であって、多段階のパルス電圧を適切に重畳して印加する必要がある。
【００１２】
このように各画素に多段階のパルス電圧を印加するためには、液晶駆動用ＩＣの出力端子に多段階のパルス電圧を個別に出力する必要がある。この場合、各パルス電圧が不安定であるとノイズが発生して液晶表示装置の表示品位に悪影響が出るおそれがある。そこで、多段階のパルス電圧出力の元になるそれぞれの電圧レベル間にキャパシタを並列に接続してそのノイズを吸収する。
【００１３】
（２）  一般の液晶駆動用ＩＣでは、ロジック系の回路を駆動するためにＶDD＝＋３Ｖが必要であり、アースのためのＶss＝ＧＮＤが必要であり、さらに液晶表示装置を駆動するためにＶLCD＝−６Ｖが必要である。液晶駆動用ＩＣの種類によっては、それら３個の電位用として３個の入力端子を個々に備えたものもあるし、あるいは、Ｖss＝ＧＮＤとＶDD＝＋３Ｖに相当する入力端子だけを備えていて、ＶLCD＝−６Ｖは液晶駆動用ＩＣの内部で作り出すという方式のＩＣもある。このようにＶssとＶDDとからＶLCDを作り出す方式の液晶駆動用ＩＣを用いる場合は、液晶駆動用ＩＣのまわりにキャパシタを含んだ昇圧回路を周辺回路として付加する必要がある。
【００１４】
従来、液晶駆動用ＩＣに抵抗素子やキャパシタ等を含んだ周辺回路を付加する際には、液晶パネルにＦＰＣや中継用ＰＣＢ等を接続し、その中継用ＰＣＢ等に周辺回路を装着していた。
【００１５】
【特許文献１】特開平８−４３８４５号公報
【特許文献２】特開平８−４３８４６号公報
【発明の開示】
【発明が解決しようとする課題】
【００１６】
しかしながら、中継用ＰＣＢ等の上に周辺回路を装着する場合には、その分だけ中継用ＰＣＢ等の面積を大きくしなければならず、また広い空間を用意しておかなければならず、従って、液晶表示装置の全体形状が大きくなるという問題があった。また、中継用ＰＣＢ等の上に周辺回路を組み付ける作業が面倒であった。
【００１７】
また、液晶表示装置の基板上に周辺回路を直接に装着する場合には、その分だけ基板の張出し部分の面積を大きくしなければならず、やはり、液晶表示装置の全体形状が大きくなるという問題があった。
【００１８】
本発明は、液晶駆動用ＩＣに抵抗素子を付加的に接続する際の上記の問題点及び液晶駆動用ＩＣにキャパシタ等を含む周辺回路を付加的に接続する際の上記問題点に鑑みて成されたものであって、液晶駆動用ＩＣに抵抗素子を付加的に接続する場合でも、あるいは液晶駆動用ＩＣにキャパシタ等を含む周辺回路を付加的に接続する場合でも、液晶表示装置の全体形状を小さいままに維持できるようにすることを目的とする。
【課題を解決するための手段】
【００１９】
（１）  上記の目的を達成するため、本発明に係る液晶表示装置は、一対の基板の間に挟まれた液晶に電圧を印加してその配向を制御することにより可視像を表示する液晶表示装置において、上記一対の基板のうち少なくとも一方の上に上記液晶に電圧を印加するための液晶駆動用ＩＣが直接に配置され、上記一対の基板のうち少なくとも一方の上に上記液晶駆動用ＩＣに印加する電圧を変化させるための抵抗素子が配置され、上記抵抗素子は上記液晶駆動用ＩＣに電気的に接続されるとともに所定パターン状に形成されてなり、そのパターン形状を除去処理によって部分的に除去することによって抵抗値が設定されてなることを特徴とする。
【００２０】
この液晶表示装置によれば、ホスト機器から液晶表示装置に供給される電圧が一定値に固定されている場合でも、基板上に設けた抵抗素子の抵抗値を調節することにより、液晶表示装置内の液晶に印加される電圧をその液晶を最適のコントラストで動作させるのに最適な所定値に調節できる。また、抵抗素子は基板の上に直接に装着されるのでＦＰＣや中継用ＰＣＢを用いる必要がなく、従って、液晶表示装置が大型になることを回避できる。
【００２１】
液晶表示装置には、ＴＡＢ方式、ＣＯＧ方式等のように種々の形式のものがある。ＴＡＢ方式の液晶表示装置では、ＴＡＢ（Tape Automated bonding）技術を用いてフィルムキャリヤテープ上に液晶駆動用ＩＣが装着され、そのフィルムキャリヤテープがＡＣＦ（Anisotropic Conductive Film）等といった接合剤を用いて液晶パネルに導電接続される。他方、ＣＯＧ方式の液晶表示装置では、液晶を挟む一対の透光性基板のうち少なくとも一方の上に液晶駆動用ＩＣが直接に装着される。
【００２２】
このＣＯＧ方式の液晶表示装置は液晶駆動用ＩＣを液晶パネルの透光性基板上に直接に接合するものであり、基本的には、液晶パネルの外部に大きなＦＰＣ等を付けなくて済むことに長所がある。従って、このようなＣＯＧ方式の液晶表示装置に対して、本発明のように抵抗素子を基板の上に直接に形成するようにすれば、抵抗素子の装着のためにわざわざフィルムキャリヤテープのような付属品を用意する必要がなくなるので、液晶表示装置の外観形状をできるだけ小さく形成しようというＣＯＧ方式の目標に合致している。
【００２３】
本発明で用いる「抵抗値が調節可能である抵抗素子」は特定の構造の抵抗素子に限定されるものではないが、例えば、スライド接点を複数の固定接点間で移動させることによって抵抗値を変化させることのできる抵抗器、いわゆるポテンショメータを用いることができる。また、基板上に形成される電極が一般にはＩＴＯ（Indium Tin Oxide）であることに鑑みて、抵抗素子もそれと同一のＩＴＯによって形成することができる。
【００２４】
そしてこの場合には、予め抵抗素子としてのＩＴＯを低い抵抗値に設定しておき、そのＩＴＯの適所を希望に応じて部分的に除去することにより、所望の抵抗値を得ることができる。抵抗素子の除去は、例えば、その抵抗素子にレーザ光を照射することによって達成できる。抵抗素子を電極と同時に形成するようにすれば、抵抗素子を形成するための処理工程を専用に設ける必要がなくなるので、製造コストを低く押さえることができる。
【００２５】
（２）  次に、本発明に係る液晶表示装置の製造方法は、一対の基板の間に挟まれた液晶に電圧を印加してその配向を制御することにより可視像を表示する液晶表示装置の製造方法において、上記液晶に電圧を印加するための液晶駆動用ＩＣが上記一対の基板のうち少なくとも一方の上に直接に装着され、上記液晶駆動用ＩＣに印加する電圧を変化させるための抵抗素子が上記一対の基板のうち少なくとも一方の上に装着され、抵抗値が調節可能な抵抗素子を上記一対の基板のうち少なくとも一方の上に装着し、上記抵抗素子は上記液晶駆動用ＩＣに電気的に接続されるとともに所定パターン状に形成され、そのパターン形状を除去処理によって部分的に除去することによって抵抗値を設定されてなることを特徴とする。
【００２６】
この製造方法によれば、抵抗素子を付加的に接続する際にＦＰＣ等といった付加的な部材が不要になるので、液晶表示装置の外観形状を小型にできる。
【００２７】
（３）  次に、本発明に係る液晶表示装置は、一対の基板の間に挟まれた液晶の配向を制御することにより可視像を表示する液晶表示装置において、上記一対の基板のうち少なくとも一方の上に上記液晶に電圧を印加するための液晶駆動用ＩＣが直接に配置され、上記一対の基板のうち少なくとも一方の上に上記液晶駆動用ＩＣに印加する電圧を変化させるための周辺回路が配置され、上記周辺回路は上記液晶駆動用ＩＣに電気的に接続されるとともに上記一対の基板に挟まれる部分に上記周辺回路を形成したことを特徴とする。
【００２８】
この液晶表示装置によれば、一対の基板によって挟まれる領域を有効に利用してその領域に周辺回路を形成するようにして、基板の張出し部分には周辺回路を形成しないようにしたので、基板をできる限り小面積に形成できる。また、周辺回路を組み付けるための中継用ＰＣＢ等といった付加的部材も必要ない。これらの結果、液晶表示装置を小型に形成できる。また、周辺回路は液晶パネルの製造過程において同時に形成されることになり、液晶パネルの完成後に別途、周辺回路の組み付け工程を実施する必要がないので、製造コストを低減できる。
【００２９】
一般の液晶表示装置の製造工程では、一対の基板のいずれか一方にシール材を環状に形成し、そのシール材を介してそれら一対の基板を貼り合わせて接着する。このようにして形成される液晶表示装置に関しては、シール材に囲まれた内側領域には液晶が封入されることになるので、この液晶表示装置に対して上記の本発明を適用するときには、シール材の外側の領域に周辺回路を配置するのが望ましい。こうすれば、周辺回路の上に液晶が入り込むことを防止でき、よって、その周辺回路を安定に保持できる。
【００３０】
上記記載の液晶表示装置に関しては、周辺回路のまわりを第２シール材によって取り囲むことができる。こうすれば、周辺回路に対向する部分の基板が撓んでその周辺回路を傷つけることを防止できる。
【００３１】
液晶表示装置には、ＴＡＢ（Tape Automated bonding）方式、ＣＯＧ（Chip On Glass）方式等のように種々の形式のものがある。ＴＡＢ方式の液晶表示装置では、ＴＡＢ技術を用いてフィルムキャリヤテープ上に液晶駆動用ＩＣが装着され、そのフィルムキャリヤテープがＡＣＦ（Anisotropic Conductive Film）等といった接合剤を用いて液晶パネルに導電接続される。
【００３２】
他方、ＣＯＧ方式の液晶表示装置では、液晶を挟む一対の基板のうち少なくとも一方の上に液晶駆動用ＩＣが直接に装着される。このようなＣＯＧ方式の液晶表示装置に対して、本発明のように周辺回路を一対の基板間に形成することにすれば、基板の張出し部分を徒に大面積にすることもないし、また、中継用ＰＣＢ等といった付加要素を用いる必要もなくなり、特に有利である。
【００３３】
本発明の液晶表示装置において、周辺回路は抵抗素子及び／又はキャパシタを含む回路とすることができる。その他、基板の上に形成できる周辺回路でありさえすれば、その種類は特別なものに限定されない。周辺回路として抵抗素子を用いる場合には、その抵抗素子はカーボンの印刷抵抗によって形成できる。周辺回路としてキャパシタを用いれば、液晶駆動用ＩＣの出力電圧を安定化してノイズの発生を防止でき、また、液晶駆動用ＩＣに加わる外部電圧を昇圧して新たな電圧値の電圧を発生できる。
【００３４】
（４）  次に、本発明に係る電子機器は、上記の本発明に係る液晶表示装置を含んで構成された電子機器である。この電子機器は、少なくとも液晶表示装置と、その液晶表示装置に電力を供給する電源部と、その液晶表示装置の動作を制御する制御部とを含んで構成されるものであって、例えば、携帯電話機、ビデオカメラ、その他各種の電子機器が考えられる。
【発明を実施するための最良の形態】
【００３５】
以下、本発明の好適な実施例を図面に基づいて説明する。
【００３６】
（第１実施例）
図１は、本発明に係る液晶表示装置の一実施例を示している。この液晶表示装置は、アクティブ素子を用いない単純マトリクス方式の液晶表示装置であり、さらに、液晶駆動用ＩＣを基板上に直接に搭載するＣＯＧ方式の液晶表示装置である。
【００３７】
この液晶表示装置は、透光性基板としての透明基板１ａと、それと対を成す他の透明基板１ｂとを有する。これらの透明基板は、ガラスやプラスチック等によって形成される。一方の透明基板１aの表面にはＩＴＯ（Indium Tin Oxide）によってストライプ状の電極２ａ及び特殊形状のパターン電極３ａが形成される。また、対向基板１ｂの表面には同様にしてＩＴＯによってストライプ状電極２ｂ及びパターン電極３ｂが形成される。
【００３８】
一方の透明基板１ａの張出し部には、液晶駆動用ＩＣ４を装着するための領域Ａが設けられており、透明基板１ａ側の複数の電極２ａ及び３ａは、それぞれ、直接にその領域Ａまで延びている。一方、透明電極１ｂ側の複数の電極２ｂ及び３ｂは、それぞれ、透明基板１ａ側に設けられた上下導通剤６を経由してＩＣ装着領域Ａまで延びている。
【００３９】
ＩＣ装着領域Ａの入力端子側には外部回路との間の導通をとるための外部接続用端子７がＩＴＯによって形成され、さらに、液晶駆動用ＩＣ４の抵抗接続用端子に対応する位置にＩＴＯによって抵抗パターン８が形成される。この抵抗パターン８は、電気回路的には、外部接続用端子７から導入される外部電圧をそれ自身が有する抵抗値に応じて電圧降下させた状態で動作電圧として液晶駆動用ＩＣ４に印加するものである。外部接続用端子７及び抵抗パターン８は、透明基板１ａ上に電極２ａ及び３ａを形成するときに、それと同時に形成される。
【００４０】
一方の透明基板１ａの上にストライプ状電極２ａ、パターン状電極３ａ、外部接続用端子７及び抵抗パターン８が形成され、さらに他方の透明基板１ｂの上にストライプ状電極２ｂ及びパターン状電極３ｂが形成されると、さらにそれらの上に配向膜が成膜され、さらにそれぞれの透明基板に対して配向処理、例えばラビング処理が施される。
【００４１】
その後、いずれか一方の透明基板、例えば透明基板１ａの上にスクリーン印刷等によってシール材９を環状に形成し、さらに、ビーズ等といったスペーサを透明基板１ａ上に分散し、その後、一対の透明基板１ａ及び１ｂをストライプ状電極２ａ及び２ｂが互いに直交するように重ね合わせ、そしてシール材９によってそれらを接合する。
【００４２】
その後、透明基板１ａと透明基板１ｂとの間に形成された空間、いわゆるセルギャップ内に液晶を注入する。さらに、透明基板１ａのＩＣ装着位置Ａに液晶駆動用ＩＣ４をＡＣＦ（Anisotropic Conductive Film：異方性導電膜）１１を用いて接着し、これにより、液晶駆動用ＩＣ４のバンプを対応する電極端子に導電接続する。
【００４３】
以上により、液晶駆動用ＩＣ４を装備した液晶パネルが形成される。この状態で、外部接続用端子７に所定値の外部電圧を印加し、このときに液晶駆動用ＩＣ４の出力端子に得られる出力電圧が液晶に対する所定電圧値から外れるときには、抵抗パターン８の抵抗枝８ａのいずれかをレーザ光の照射によって切断し、もって、液晶パネル内の液晶に印加される電圧がその液晶に対する適正値になるように調節する。抵抗枝８ａは互いに平行に、電気的には互いに並列に複数個、設けられているので、必要に応じて１個又は複数個が切断される。
【００４４】
その後、透明基板１ａ及び１ｂの外側表面に偏光板１２，１２を貼着することにより、図２に示すような液晶表示装置が完成する。この液晶表示装置には、必要に応じて、透明基板１ａ又は１ｂの外側にバックライトユニットが装着される。本実施例の液晶表示装置では、液晶駆動用ＩＣ４の外部に付加する抵抗素子を、ＦＰＣ等を介して間接的に液晶パネルに接続するのではなくて、液晶パネルの透明基板１ａの上に直接に形成するようにしたので、液晶表示装置の外観形状を徒に大きくすることがない。
【００４５】
（第２実施例）
図３は、本発明に係る液晶表示装置の他の実施例を示している。この実施例が図２に示した先の実施例と異なる点は、透明基板１ａ上に設ける抵抗素子として、ＩＴＯの抵抗パターン８に代えてポテンショメータ１３を用いた点である。このポテンショメータ１３は、それ自体周知の通り、ツマミ１４を回してスライド接点を複数の固定接点間で回転移動させることにより、端子間で抵抗値を変化させることのできる抵抗素子であり、本実施例では、半田付けその他の導電接合処理によって透明基板１ａ上の電極端子に導電接続される。
【００４６】
図２の液晶表示装置では抵抗パターン８をレーザ光照射によって部分的に除去して抵抗値を調節したが、本実施例では、ポテンショメータ１３のツマミ１４を適宜の角度だけ回すことによって抵抗値を調節する。この実施例でも、ポテンショメータ１３は、液晶パネルの透明基板１ａの上に直接に装着されるので、ＦＰＣ等といった間接部材を用いる必要がなく、従って、液晶表示装置の外観形状が徒に大きくなることがない。
【００４７】
（第３実施例）
図４は、本発明に係る液晶表示装置のさらに他の実施例、特にその要部を示している。この実施例は、図２に示した実施例と同様に、ＩＴＯによって形成された抵抗パターン１８によって透光性基板１ａ上に抵抗素子を設けている。但し、この実施例で用いられる抵抗パターン１８は、図２に示すような並列接続された複数段の抵抗枝８ａを有するものではなく、一様な矩形状の抵抗パターンとして形成されている。この抵抗パターン１８の抵抗値を変化させる場合には、破線Ｂで示すように、一様な矩形状パターンに部分的にレーザ光を照射することによってその抵抗パターンを部分的に除去する。図２の実施例では抵抗パターン８の抵抗値を段階的に変化させることしかできなかったが、図４に示す本実施例によれば、抵抗パターン１８の抵抗値を無段階に変化させることができる。
【００４８】
（第４実施例）
図５は、本発明に係る液晶表示装置のさらに他の実施例を示している。この実施例において、透明基板１ａと透明基板１ｂとがシール材９によって互いに接合されること、それらの透明基板１ａ及び１ｂの外側表面に偏光板１２が貼着されること、透明基板１ａの張出し部分に液晶駆動用ＩＣ４が実装されること、透明基板１ａの辺端部に外部接続端子７が形成されること、そして透明基板１ａの張出し部に抵抗パターン２８が形成されること、といった各構造は図１に示した先の実施例と同じである。
【００４９】
本実施例が図１に示す実施例と異なる点は抵抗パターン２８に改変を加えたことであり、以下に具体的に説明する。この抵抗パターン２８は、図６に示すように、電極２ａ及び３ａ（図１参照）と同じ材料によってそれらと同時に形成された５個の抵抗枝２８ａ〜２８ｅを含んで構成される。
【００５０】
抵抗枝２８ｃは液晶駆動用ＩＣ４の接地レベルに接続され、さらに、その抵抗枝２８ｃと抵抗枝２８ａとの間は、幅の狭い連絡パターンＳ１によってつながれ、接地抵抗枝２８ｃと抵抗枝２８ｂとの間は幅の狭い連絡パターンＳ２によってつながれ、接地抵抗枝２８ｃと抵抗枝２８ｄとの間は幅の狭い連絡パターンＳ３によってつながれ、そして接地抵抗枝２８ｃと抵抗枝２８ｅとの間は幅の狭い連絡パターンＳ４によってつながれている。
【００５１】
各連絡パターンＳ１〜Ｓ４は、接地抵抗枝２８ｃと各抵抗枝２８ａ，２８ｂ，２８ｄ，２８ｅとを断続するスイッチング素子として働くものであり、これらを電気回路的に図示すれば図７に示す通りである。液晶表示装置が製造された当初、各連結パターンＳ１〜Ｓ４はいずれも各抵抗枝２８ａ〜２８ｅをつなぐ状態にあり、よって各連結パターンＳ１〜Ｓ４はいずれもスイッチオン状態にある。
【００５２】
各抵抗枝２８ａ〜２８ｅのそれぞれは液晶駆動用ＩＣ４内に設けた抵抗体に接続されており、よって、連結パターンＳ１〜Ｓ４のうちから適宜の１個又は適宜の組み合わせの複数個を選択して、それを又はそれらを切断すれば、図７のスイッチＳ１〜Ｓ４のうち適宜の１個又は複数個をスイッチオフ状態にすることができる。連結パターンＳ１〜Ｓ４の切断は、例えばレーザ光の照射によって行うことができる。
【００５３】
こうして連結パターンＳ１〜Ｓ４のうちの適宜のものを選択して切断、すなわちスイッチオフ状態に設定すれば、液晶駆動用ＩＣ４に印加されるオペレーション電圧を希望の電圧値に変化させることができる。例えば、図８に示すように、オペレーション電圧Ｖopを＋２％、＋１％、−１％、−２％の４段階にわたって変化させることができる。
【００５４】
つまり、本実施例では、各抵抗枝２８ａ〜２８ｅのそれぞれ自体を目標の抵抗値となるように変化させるのではなく、それらの抵抗枝２８ａ〜２８ｅをスイッチング素子として用い、それらのスイッチング素子のＯＮ、ＯＦＦを制御することによって抵抗値を変化させている。
【００５５】
（第５実施例）
図９は、本発明に係る液晶表示装置のさらに他の実施例を示している。この実施例において、図１に示した実施例の場合と同じ部材を用いる場合にはそれを同じ符号で示すことにし、それらに関する説明が重複するときにはそれを省略する。
【００５６】
本実施例において、ＩＣ装着領域Ａの入力端子側には外部回路との間の導通をとるための外部接続用端子７がＩＴＯによって形成され、さらに、液晶駆動用ＩＣ４の抵抗接続用端子に対応する位置から延びるＩＴＯパターン３８の先端に抵抗素子、例えばカーボンの印刷抵抗４０が形成されている。この抵抗４０は、電気回路的には、外部接続用端子７から導入される外部電圧をそれ自身が有する抵抗値に応じて電圧降下させた状態で動作電圧として液晶駆動用ＩＣ４に印加するものである。外部接続用端子７及びＩＴＯパターン３８は、透明基板１ａ上に電極２ａ及び３ａを形成するときに、それと同時に形成される。印刷抵抗４０は、ＩＴＯパターン３８の形成工程の前後の適宜のタイミングで形成される。
【００５７】
一方の透明基板１ａの上にストライプ状電極２ａ、パターン状電極３ａ、外部接続用端子７、ＩＴＯパターン３８及び抵抗４０が形成され、さらに他方の透明基板１ｂの上にストライプ状電極２ｂ及びパターン状電極３ｂが形成されると、さらにそれらの透明基板上に配向膜が成膜され、さらにそれぞれの透明基板に対して配向処理、例えばラビング処理が施される。
【００５８】
その後、いずれか一方の透明基板、例えば透明基板１ａの上にスクリーン印刷等によってシール材９を環状に形成する。但し、抵抗４０を形成した領域は環状のシール材９の外側に位置するようにし、さらに、抵抗４０のまわりを第２シール材９ａによって取り囲む。その後、ビーズ等といったスペーサを透明基板１ａ上に分散し、次いで、一対の透明基板１ａ及び１ｂをストライプ状電極２ａ及び２ｂが互いに直交するように重ね合わせ、そしてシール材９及び第２シール材９ａによってそれらを接合する。
【００５９】
その後、透明基板１ａと透明基板１ｂとの間に形成された空間、いわゆるセルギャップ内に液晶を注入する。このとき、シール材９の内側領域には液晶が封入されるが、抵抗４０を取り囲む第２シール材９ａによって区画されるセル内には液晶は入らない。次に、透明基板１ａのＩＣ装着領域Ａに液晶駆動用ＩＣ４をＡＣＦ１１を用いて接着し、これにより、液晶駆動用ＩＣ４の各バンプを透明基板１ａ上の対応する電極端子に導電接続する。
【００６０】
以上により、液晶駆動用ＩＣ４を装備した液晶パネルが形成され、さらに、透明基板１ａ及び１ｂの外側表面に偏光板１２，１２を貼着することにより、図１０に示すような液晶表示装置３５が完成する。この液晶表示装置３５には、必要に応じて、透明基板１ａ又は１ｂの外側にバックライトユニットが装着される。本実施例の液晶表示装置３５では、液晶駆動用ＩＣ４の周辺回路として抵抗４０を含んだ分圧回路を設けたので、外部接続用端子７を通して外部のホスト機器、例えば携帯電話機から供給される外部電圧が常に一定値に固定されていても、それを抵抗４０によって変化させることができる。従って、液晶駆動用ＩＣ４に常に適正な動作電圧を供給でき、ひいては液晶表示装置内の各画素液晶に適正なスイッチング用の電圧を印加できる。
【００６１】
しかも、本実施例では抵抗４０を含む周辺回路を透明基板１ａの張出し部ではなくて、液晶パネルの本体部分、すなわち一対の透明基板１ａ及び１ｂによって挟まれる部分に形成したので、透明基板１ａの張出し寸法を大きくする必要がない。もちろん、液晶パネルの外部接続用端子７に中継用ＰＣＢを接続して、その中継用ＰＣＢ上に抵抗素子を組み付けるといった面倒で大掛かりな構造を採用する必要もない。その結果、本実施例によれば、液晶表示装置に周辺回路を内蔵させたにも拘わらず、その全体形状を非常に小型にすることができる。
【００６２】
（変形実施例）
図９の実施例では、周辺回路として印刷抵抗４０を用いた分圧回路を考えた。しかしながら、適用できる周辺回路は抵抗素子以外の任意の電子素子、例えばキャパシタを含んだ周辺回路とすることもできる。キャパシタを含んだ周辺回路を用いれば、液晶駆動用ＩＣから出力される電圧を安定化することや、液晶駆動用ＩＣの入力端子に入力される電圧を用いてその液晶駆動用ＩＣの内部で他の電圧値の電圧を発生することができる。なお、一対の透明基板の間に形成される狭い間隙内にキャパシタを形成するには、例えば、対向するＩＴＯの間に誘電体を挟んでも挟まなくても構わないが、対向基板側の電極には液晶駆動用のストライプ状電極と同様に上下導通材で接続を取ることができる。
【００６３】
（第６実施例）
図１１は、本発明に係る液晶表示装置を電子機器としての携帯電話機の表示部として使用した場合の実施例を示している。ここに示す携帯電話機は、上ケース２６及び下ケース２７を含んで構成される。上ケース２６には、送受信用のアンテナ３０と、キーボードユニット２９と、そしてマイクロホン３２とが設けられる。そして、下ケース２７には、例えば図１０に示した液晶表示装置３５と、スピーカ３３と、そして回路基板３４とが設けられる。
【００６４】
回路基板３４の上には、図１２に示すように、スピーカ３３の入力端子に接続された受信部３１と、マイクロホン３２の出力端子に接続された発信部３７と、ＣＰＵを含んで構成された制御部３６と、そして各部へ電力を供給する電源部３９とが設けられる。制御部３６は、発信部３７及び受信部３１の状態を読み取ってその結果に基づいて液晶駆動用ＩＣ４に情報を供給して液晶表示装置３５の有効表示領域に可視情報を表示する。また、制御部３６は、キーボードユニット２９から出力される情報に基づいて液晶駆動用ＩＣ４に情報を供給して液晶表示装置３５の有効表示領域に可視情報を表示する。
【００６５】
（その他の実施例）
以上、好ましい実施例を挙げて本発明を説明したが、本発明はそれらの実施例に限定されるものではなく、請求の範囲に記載した発明の範囲内で種々に改変できる。
【００６６】
例えば、本発明の液晶表示装置について考えれば、本発明は図１から図４に示したＣＯＧ方式の液晶表示装置以外の任意の液晶表示装置、例えばＴＡＢ方式の液晶表示装置に対しても適用できる。各実施例において、透光性（或いは透明）基板としたが透明でなくても構わない。また、必要があれば、アクティブマトリクス方式の液晶表示装置に対しても適用できる。
【００６７】
また、本発明の電子機器に関して考えれば、図１１に示した実施例では、携帯電話機の可視像表示部に本発明の液晶表示装置を適用する場合を例示したが、携帯電話機以外の任意の電子機器、例えばビデオカメラ等のファインダとして本発明の液晶表示装置を適用できることはもちろんである。
【産業上の利用可能性】
【００６８】
本発明に係る液晶表示装置は、携帯電話機、ビデオカメラ等といった電子機器の可視像表示部として好適に用いることができる。また、本発明に係る液晶表示装置の製造方法は、そのような液晶表示装置であって外観形状が小型である液晶表示装置を作製する際に好適に用いられる。また、本発明に係る電子機器は、文字、数字、絵柄等といった可視像を表示する表示部を備えた各種の電子機器として有用である。
【図面の簡単な説明】
【００６９】
【図１】本発明に係る液晶表示装置の一実施例を分解して示す斜視図である。
【図２】図１に示す実施例の組み立て後の状態を示す斜視図である。
【図３】本発明に係る液晶表示装置の他の実施例を示す斜視図である。
【図４】本発明に係る液晶表示装置のさらに他の実施例、特にその要部を示す斜視図である。
【図５】本発明に係る液晶表示装置のさらに他の実施例を示す平面図である。
【図６】図５に示す実施例の要部を拡大して示す平面図である。
【図７】図６に示す構造を電気的に示す場合の等価回路を示す図である。
【図８】図７の等価回路を活用した場合の電圧の変化の様子の一例を示す図である。
【図９】本発明に係る液晶表示装置のさらに他の実施例を分解して示す斜視図である。
【図１０】図９に示す実施例の組み立て後の状態を示す斜視図である。
【図１１】本発明に係る電子機器の一実施例を分解して示す斜視図である。
【図１２】図１１の電子機器に用いられる電気制御系の一実施例を示すブロック図である。
【図１】
2005234594.tif 000003
【図２】
2005234594.tif 000004
【図３】
2005234594.tif 000005
【図４】
2005234594.tif 000006
【図５】
2005234594.tif 000007
【図６】
2005234594.tif 000008
【図７】
2005234594.tif 000009
【図８】
2005234594.tif 000010
【図９】
2005234594.tif 000011
【図１０】
2005234594.tif 000012
【図１１】
2005234594.tif 000013
【図１２】
2005234594.tif 000014